(57)【要約】【課題】アナログ放送終了に対応して使用者の操作性を高めることが可能な表示装置を提供する。【解決手段】このデジタル放送対応テレビジョン１（表示装置）は、アナログ放送およびデジタル放送を受信可能な受信部１５と、受信部１５により受信した映像の表示が可能な表示部１１と、アナログ放送およびデジタル放送の両方の処理を行う混合モードとデジタル放送の処理を優先するデジタルモードとの切替動作を行うことが可能なモード切替部１７と、アナログ放送が終了した場合に、混合モードをデジタルモードに切り替えるようにモード切替部１７を制御する制御部１９とを備える。【選択図】図２
2008167173.tif 000002
【特許請求の範囲】
【請求項１】
アナログ放送およびデジタル放送を受信可能な受信部と、前記受信部により受信した映像の表示が可能な表示部とを備えた表示装置において、
前記アナログ放送および前記デジタル放送の両方の処理を行う混合モードと、前記デジタル放送の処理を優先するデジタルモードとの切替動作を行うことが可能なモード切替手段と、
前記アナログ放送が終了した場合に、前記混合モードを前記デジタルモードに切り替えるように前記モード切替手段を制御する制御部と、
前記制御部と通信可能に接続され、前記アナログ放送が終了する時刻データを記憶する記憶部と、
前記アナログ放送および前記デジタル放送の選局が可能な選局ボタンを有するリモコンとをさらに備え、
前記制御部は、現在時刻が、前記記憶部に記憶された前記アナログ放送が終了する時刻を過ぎた場合に、前記混合モードを前記デジタルモードに切り替えるように前記モード切替手段を制御するように構成され、
前記制御部は、前記モード切替手段によって前記混合モードに設定されている場合には、受信可能な前記アナログ放送および前記デジタル放送の両方の放送を検知するように前記受信部を制御し、前記表示部に表示される機能の設定を行うための画面において、前記アナログ放送に対応する項目を前記デジタル放送に対応する項目よりも優先して表示するように前記表示部を制御するとともに、前記リモコンの選択ボタンの操作に応じて、前記アナログ放送を優先して選局するように制御し、
前記制御部は、前記モード切替手段によって前記デジタルモードに設定されている場合には、受信可能な前記デジタル放送のみを検知するように前記受信部を制御し、前記表示部に表示される機能の設定を行うための画面において、前記デジタル放送に対応する項目を前記アナログ放送に対応する項目よりも優先して表示するように前記表示部を制御するとともに、前記リモコンの選択ボタンの操作に応じて、前記デジタル放送のみを選局するように制御するように構成されている、表示装置。
【請求項２】
アナログ放送およびデジタル放送を受信可能な受信部と、
前記受信部により受信した映像の表示が可能な表示部と、
前記アナログ放送および前記デジタル放送の両方の処理を行う混合モードと、前記デジタル放送の処理を優先するデジタルモードとの切替動作を行うことが可能なモード切替手段と、
前記アナログ放送が終了した場合に、前記混合モードを前記デジタルモードに切り替えるように前記モード切替手段を制御する制御部とを備える、表示装置。
【請求項３】
前記制御部と通信可能に接続され、前記アナログ放送が終了する時刻データを記憶する記憶部をさらに備え、
前記制御部は、現在時刻が、前記記憶部に記憶された前記アナログ放送が終了する時刻を過ぎた場合に、前記混合モードを前記デジタルモードに切り替えるように前記モード切替手段を制御するように構成されている、請求項２に記載の表示装置。
【請求項４】
前記制御部は、前記モード切替手段によって前記混合モードに設定されている場合には、受信可能な前記アナログ放送および前記デジタル放送の両方の放送を検知するように前記受信部を制御し、前記モード切替手段によって前記デジタルモードに設定されている場合には、受信可能な前記デジタル放送のみを検知するように前記受信部を制御するように構成されている、請求項２または３に記載の表示装置。
【請求項５】
前記制御部は、前記モード切替手段によって前記混合モードに設定されている場合には、前記表示部に表示される機能の設定を行うための画面において、前記アナログ放送に対応する項目を前記デジタル放送に対応する項目よりも優先して表示し、前記モード切替手段によって前記デジタルモードに設定されている場合には、前記表示部に表示される機能の設定を行うための画面において、前記デジタル放送に対応する項目を前記アナログ放送に対応する項目よりも優先して表示するように前記表示部を制御するように構成されている、請求項２〜４のいずれか１項に記載の表示装置。
【請求項６】
前記アナログ放送および前記デジタル放送の選局が可能な選局ボタンを有するリモコンをさらに備え、
前記制御部は、前記モード切替手段によって前記混合モードに設定されている場合には、前記リモコンの選択ボタンの操作に応じて、前記アナログ放送を優先して選局し、前記モード切替手段によって前記デジタルモードに設定されている場合には、前記リモコンの選択ボタンの操作に応じて、前記デジタル放送のみを選局するように制御するように構成されている、請求項２〜５のいずれか１項に記載の表示装置。
【発明の詳細な説明】
【技術分野】
【０００１】
この発明は、表示装置に関し、特に、アナログ放送およびデジタル放送を受信可能な受信部を備えた表示装置に関する。
【背景技術】
【０００２】
従来、アナログ放送およびデジタル放送を受信可能な受信部を備えた表示装置などが知られている（たとえば、特許文献１〜３参照）。
【０００３】
上記特許文献１には、アナログ放送を受信可能なアナログ放送信号処理部およびデジタル放送を受信可能なデジタル放送信号処理部を備えるテレビ受信機が開示されている。この特許文献１によるテレビ受信機は、アナログ放送廃止（終了）後に、必要のなくなったアナログ放送信号処理部への電源の供給を停止する機能を有する。すなわち、アナログ放送廃止（終了）前までは、アナログ放送信号処理部およびデジタル放送信号処理部の２つの処理部に電源の供給を行っていたものを、アナログ放送廃止（終了）後は、デジタル放送信号処理部のみへの電源の供給を行うことによって、電力を削減することができる。
【０００４】
また、上記特許文献２には、アナログ放送およびデジタル放送を受信可能な多方式対応受信装置が開示されている。この特許文献２による多方式対応受信装置は、アナログ放送廃止（終了）に対応する機能を何ら有していない。
【０００５】
また、上記特許文献３には、アナログテレビジョン信号（放送）およびデジタルテレビジョン信号（放送）を受信可能なデジタル／アナログテレビジョン信号受信機が開示されている。この特許文献３によるデジタル／アナログテレビジョン信号受信機は、アナログ放送廃止（終了）に対応する機能を何ら有していない。
【０００６】
【特許文献１】特開２００６−５７８５号公報
【特許文献２】特許第３５４０２４２号公報
【特許文献３】特許第３５８９１７８号公報
【発明の開示】
【発明が解決しようとする課題】
【０００７】
しかしながら、上記特許文献１に記載のテレビ受信機は、アナログ放送廃止（終了）後に、必要のなくなったアナログ放送信号処理部への電源の供給を停止するため、電力を削減することは可能である一方、アナログ放送廃止（終了）に対応して使用者の操作性を高めることができないという問題点がある。
【０００８】
また、上記特許文献２に記載の多方式対応受信装置および上記特許文献３に記載のデジタル／アナログテレビジョン信号受信機は、アナログ放送廃止（終了）に対応する機能を何ら有していないため、アナログ放送廃止（終了）に対応して使用者の操作性を高めることができないという問題点がある。
【０００９】
この発明は、上記のような課題を解決するためになされたものであり、この発明の１つの目的は、アナログ放送終了に対応して使用者の操作性を高めることが可能な表示装置を提供することである。
【課題を解決するための手段および発明の効果】
【００１０】
この発明の第１の局面による表示装置は、アナログ放送およびデジタル放送を受信可能な受信部と、受信部により受信した映像の表示が可能な表示部とを備えた表示装置において、アナログ放送およびデジタル放送の両方の処理を行う混合モードと、デジタル放送の処理を優先するデジタルモードとの切替動作を行うことが可能なモード切替手段と、アナログ放送が終了した場合に、混合モードをデジタルモードに切り替えるようにモード切替手段を制御する制御部と、制御部と通信可能に接続され、アナログ放送が終了する時刻データを記憶する記憶部と、アナログ放送およびデジタル放送の選局が可能な選局ボタンを有するリモコンとをさらに備えている。また、制御部は、現在時刻が記憶部に記憶されたアナログ放送が終了する時刻を過ぎた場合に、混合モードをデジタルモードに切り替えるようにモード切替手段を制御するように構成されている。また、制御部は、モード切替手段によって混合モードに設定されている場合には、受信可能なアナログ放送およびデジタル放送の両方の放送を検知するように受信部を制御し、表示部に表示される機能の設定を行うための画面において、アナログ放送に対応する項目をデジタル放送に対応する項目よりも優先して表示するように表示部を制御するとともに、リモコンの選択ボタンの操作に応じて、アナログ放送を優先して選局するように制御するように構成されている。また、制御部は、モード切替手段によってデジタルモードに設定されている場合には、受信可能なデジタル放送のみを検知するように受信部を制御し、表示部に表示される機能の設定を行うための画面において、デジタル放送に対応する項目をアナログ放送に対応する項目よりも優先して表示するように表示部を制御するとともに、リモコンの選択ボタンの操作に応じて、デジタル放送のみを選局するように制御するように構成されている。
【００１１】
この第１の局面による表示装置では、上記のように、アナログ放送およびデジタル放送の両方の処理を行う混合モードとデジタル放送の処理を優先するデジタルモードとの切替動作を行うことが可能なモード切替手段と、アナログ放送が終了した場合に、混合モードをデジタルモードに切り替えるようにモード切替手段を制御する制御部とを備えることによって、アナログ放送が終了した場合に、アナログ放送が終了することにより使用者の利用する割合が増加するデジタル放送の処理が優先されるので、アナログ放送終了に対応して使用者の操作性を高めることができる。
【００１２】
また、第１の局面による表示装置では、アナログ放送が終了する時刻データを記憶する記憶部を設けるとともに、現在時刻が、記憶部に記憶されたアナログ放送が終了する時刻を過ぎた場合に、混合モードをデジタルモードに切り替えるようにモード切替手段を制御するように制御部を構成することによって、記憶部に記憶されたアナログ放送が終了する時刻データに基づいて、制御部は混合モードをデジタルモードに切り替えるようにモード切替手段を制御するので、アナログ放送終了に対応して、使用者が混合モードをデジタルモードに切り替える操作を行う必要がない。また、モード切替手段によって混合モードに設定されている場合には、受信可能なアナログ放送およびデジタル放送の両方の放送を検知するように受信部を制御し、モード切替手段によってデジタルモードに設定されている場合には、受信可能なデジタル放送のみを検知するように受信部を制御するように制御部を構成することによって、デジタルモードに設定された場合には、受信部はアナログ放送を検知する動作を行わないので、受信可能な放送の検知にかかる時間を削減することができる。これによっても、使用者の操作性を高めることができる。また、モード切替手段によってデジタルモードに設定されている場合には、表示部に表示される機能の設定を行うための画面において、デジタル放送に対応する項目をアナログ放送に対応する項目よりも優先して表示するように表示部を制御するように制御部を構成することによって、デジタルモードに設定された場合に、表示部には、アナログ放送が終了することにより使用者の利用する割合が増加するデジタル放送に対応する項目が、優先して表示されるので、使用者の操作性をより高めることができる。また、モード切替手段によってデジタルモードに設定されている場合には、リモコンの選択ボタンの操作に応じて、デジタル放送のみが選局されるように制御することによって、アナログ放送が終了した場合に、デジタル放送のみが選局されるので、使用者の操作性をより高めることができる。
【００１３】
この発明の第２の局面による表示装置は、アナログ放送およびデジタル放送を受信可能な受信部と、受信部により受信した映像の表示が可能な表示部と、アナログ放送およびデジタル放送の両方の処理を行う混合モードと、デジタル放送の処理を優先するデジタルモードとの切替動作を行うことが可能なモード切替手段と、アナログ放送が終了した場合に、混合モードをデジタルモードに切り替えるようにモード切替手段を制御する制御部とを備える。
【００１４】
この第２の局面による表示装置では、上記のように、アナログ放送およびデジタル放送の両方の処理を行う混合モードとデジタル放送の処理を優先するデジタルモードとの切替動作を行うことが可能なモード切替手段と、アナログ放送が終了した場合に、混合モードをデジタルモードに切り替えるようにモード切替手段を制御する制御部とを備えることによって、アナログ放送が終了した場合に、アナログ放送が終了することにより使用者の利用する割合が増加するデジタル放送の処理が優先されるので、アナログ放送終了に対応して使用者の操作性を高めることができる。
【００１５】
上記第２の局面による表示装置において、好ましくは、制御部と通信可能に接続され、アナログ放送が終了する時刻データを記憶する記憶部を設けるとともに、現在時刻が、記憶部に記憶されたアナログ放送が終了する時刻を過ぎた場合に、混合モードをデジタルモードに切り替えるようにモード切替手段を制御するように制御部を構成する。このように構成すれば、記憶部に記憶されたアナログ放送が終了する時刻データに基づいて、制御部は混合モードをデジタルモードに切り替えるようにモード切替手段を制御するので、アナログ放送終了に対応して、使用者が混合モードをデジタルモードに切り替える操作を行う必要がない。
【００１６】
上記第２の局面による表示装置において、好ましくは、モード切替手段によって混合モードに設定されている場合には、受信可能なアナログ放送およびデジタル放送の両方の放送を検知するように受信部を制御し、モード切替手段によってデジタルモードに設定されている場合には、受信可能なデジタル放送のみを検知するように受信部を制御するように制御部を構成する。このように構成すれば、デジタルモードに設定された場合には、受信部はアナログ放送を検知する動作を行わないので、受信可能な放送の検知にかかる時間を削減することができる。これによっても、使用者の操作性を高めることができる。
【００１７】
上記第２の局面による表示装置において、好ましくは、モード切替手段によってデジタルモードに設定されている場合には、表示部に表示される機能の設定を行うための画面において、デジタル放送に対応する項目をアナログ放送に対応する項目よりも優先して表示するように表示部を制御するように制御部を構成する。このように構成すれば、デジタルモードに設定された場合に、表示部には、アナログ放送が終了することにより使用者の利用する割合が増加するデジタル放送に対応する項目が、優先して表示されるので、使用者の操作性をより高めることができる。
【００１８】
上記第２の局面による表示装置において、好ましくは、モード切替手段によってデジタルモードに設定されている場合には、リモコンの選択ボタンの操作に応じて、デジタル放送のみが選局されるように制御する。このように構成すれば、アナログ放送が終了した場合に、デジタル放送のみが選局されるので、使用者の操作性をより高めることができる。
【発明を実施するための最良の形態】
【００１９】
以下、本発明を具体化した実施形態を図面に基づいて説明する。
【００２０】
図１は、本発明の一実施形態によるデジタル放送対応テレビジョンの全体構成を示した斜視図である。図２は、図１に示した本発明の一実施形態によるデジタル放送対応テレビジョンの構成を説明するためのブロック図である。図３は、図１に示した本発明の一実施形態によるデジタル放送対応テレビジョンのリモコンを示した正面図である。図４〜図９は、図１に示した本発明の一実施形態によるデジタル放送対応テレビジョンの詳細を示した図である。まず、図１〜図９を参照して、本発明の一実施形態によるデジタル放送対応テレビジョンの構成について説明する。なお、本実施形態では、表示装置の一例であるデジタル放送対応テレビジョンに本発明を適用した場合について説明する。
【００２１】
本発明の一実施形態によるデジタル放送対応テレビジョン１は、図１に示すように、装置本体１０と、装置本体１０を支持する脚部２０と、リモコン３０とから構成されている。
【００２２】
また、図１に示すように、装置本体１０の前面には、映像を表示するための表示部１１と、装置本体１０の操作が可能なリモコン３０から送信される光信号を受信するリモコン受信部１２とが配置されている。
【００２３】
また、装置本体１０は、図２に示すように、上記の表示部１１およびリモコン受信部１２に加えて、外部機器であるビデオ再生機４０によって再生される映像を取得することが可能な外部入力部１３と、映像の処理を行う映像処理部１４と、アンテナ５０を介して、アナログ放送およびデジタル放送を受信することが可能な受信部１５と、アナログ放送が終了する時刻データを記憶する記憶部１６と、モードの切替動作を行うことが可能なモード切替部１７と、モード切替部１７に接続されるプログラム格納部１８と、装置本体１０全体の動作制御を行う制御部１９とを備えている。なお、モード切替部１７は、本発明の「モード切替手段」の一例である。
【００２４】
また、リモコン３０は、図３に示すように、チャンネル番号を直接入力して選局することが可能なダイレクト選局ボタン３１と、チャンネルを順次選局することが可能なチャンネルリスト選局ボタン３２と、選択ボタン３３とを備える。なお、ダイレクト選局ボタン３１およびチャンネルリスト選局ボタン３２は、本発明の「選局ボタン」の一例である。
【００２５】
外部入力部１３は、ビデオ再生機４０から取得した映像を映像処理部１４に伝達するように構成されている。また、映像処理部１４は、外部入力部１３および受信部１５から取得した映像を、表示部１１が表示可能なように処理するように構成されている。
【００２６】
ここで、本実施形態では、受信部１５は、アナログ放送の受信が可能なアナログ放送受信部１５ａと、デジタル放送の受信が可能なデジタル放送受信部１５ｂとを含む。また、受信部１５は、アナログ放送受信部１５ａおよびデジタル放送受信部１５ｂが受信した映像を映像処理部１４に伝達するように構成されている。
【００２７】
また、モード切替部１７は、制御部１９からの信号によって、アナログ放送が終了した場合に、混合モードをデジタルモードに切り替えることが可能なように構成されている。具体的には、モード切替部１７は、制御部１９が用いるプログラムを、プログラム格納部１８に格納される混合モード用プログラム１８ａからデジタルモード用プログラム１８ｂに切り替えることによって、混合モードをデジタルモードに切り替えるように構成されている。
【００２８】
また、混合モードは、混合モード用プログラム１８ａによって制御され、アナログ放送およびデジタル放送の両方の処理を行うように構成されている。具体的には、図４に示すように、混合モードでは、初期設定時に受信可能なチャンネルを自動検知するオートスキャン機能において、アナログ放送受信部１５ａおよびデジタル放送受信部１５ｂによってそれぞれアナログ放送およびデジタル放送の両方のチャンネルを検知するように構成されている。また、混合モードでは、表示部１１に表示される、後述する機能の設定を行うためのセットアップ画面６０（図５参照）および６１（図６参照）において、図４に示すように、アナログ放送に対応する項目をデジタル放送に対応する項目よりも優先して表示するように構成されている。また、混合モードでは、リモコン３０のダイレクト選局ボタン３１によってダイレクト選局が行われた際に、図４に示すように、アナログ放送のチャンネルを優先して選局するように構成されている。また、混合モードでは、リモコン３０のチャンネルリスト選局ボタン３２によってチャンネルリスト選局が行われた際に、図４に示すように、アナログ放送およびデジタル放送の両方のチャンネルを選局するように構成されている。
【００２９】
また、表示部１１に表示される混合モードのセットアップ画面としては、Ｃ・Ｃ（クローズド・キャプション）セットアップ画面６０（図５参照）とＶ−ＣＨＩＰセットアップ画面６１（図６参照）とがある。ここで、Ｃ・Ｃ（クローズド・キャプション）とは、音声情報などを文字情報として表示する字幕放送のことである。また、Ｖ−ＣＨＩＰとは、暴力シーンなどの過激な内容を含む番組の視聴制限を行うための機能である。
【００３０】
また、図５に示すように、混合モードでのＣ・Ｃセットアップ画面６０は、アナログ放送に対応したＣＡＰＴＩＯＮの設定項目を、デジタル放送に対応したＤＴＶＣＣの設定項目よりも優先して表示するように構成されている。また、アナログ放送に対応したＣＡＰＴＩＯＮの設定項目は、図５に示すように、キャプションのＯＮ状態とＯＦＦ状態とを切り替えるための項目と、選択可能な複数のキャプション（ＣＣ１、ＣＣ２およびＣＣ３）とを表示するように構成されている。また、デジタル放送に対応したＤＴＶＣＣの設定項目は、図５に示すように、キャプションのＯＮ状態とＯＦＦ状態とを切り替えるための項目と、選択可能な複数のキャプション（ＳＥＲＶＩＣＥ１、ＳＥＲＶＩＣＥ２およびＳＥＲＶＩＣＥ３）とを表示するように構成されている。また、表示部１１には、各項目を選択するためのポインタ７０（図５〜図９参照）が表示される。また、ポインタ７０は、リモコン３０の選択ボタン３３の操作によって、図７に示すように、各項目を選択可能なように構成されている。
【００３１】
また、混合モードでのＶ−ＣＨＩＰセットアップ画面６１は、図６に示すように、アナログ放送に対応したＴＶ  ＲＡＴＩＮＧおよびＭＰＡＡ  ＲＡＴＩＮＧを、デジタル放送に対応したＤＯＷＮＬＯＡＤＡＢＬＥ  ＲＡＴＩＮＧよりも優先して表示するように構成されている。また、最下段には、Ｖ−ＣＨＩＰの設定を変更するために必要なパスワードを変更するためのＣＨＡＮＧＥ  ＰＡＳＳＷＯＲＤの項目を表示するように構成されている。ここで、ＴＶ  ＲＡＴＩＮＧとは、テレビ放送に関する視聴制限に用いられるＶ−ＣＨＩＰの規格の１つである。また、ＭＰＡＡ  ＲＡＴＩＮＧとは、映画に関する視聴制限に用いられるＶ−ＣＨＩＰの規格の１つである。ＤＯＷＮＬＯＡＤＡＢＬＥ  ＲＡＴＩＮＧとは、デジタル放送に対応したＶ−ＣＨＩＰの規格の１つである。
【００３２】
また、デジタルモードは、アナログ放送が終了した場合に、デジタルモード用プログラムによって制御され、デジタル放送の処理を優先して行うように構成されている。具体的には、図４に示すように、デジタルモードでは、オートスキャンにおいて、デジタル放送受信部１５ｂのみが動作することによって、デジタル放送のチャンネルを検知するように構成されている。また、デジタルモードでは、表示部１１に表示される機能の設定を行うためのセットアップ画面６２（図８参照）および６３（図９参照）において、図４に示すように、デジタル放送に対応する項目をアナログ放送に対応する項目よりも優先して表示するように構成されている。なお、アナログ放送が終了した場合においても、アナログ放送に対応する項目を表示するのは、外部入力部１３を介してビデオ再生機４０から取得するアナログ映像に対応するためである。また、デジタルモードは、リモコン３０のダイレクト選局ボタン３１によってダイレクト選局が行われた際に、図４に示すように、デジタル放送のチャンネルのみを選局するように構成されている。また、デジタルモードは、リモコン３０のチャンネルリスト選局ボタン３２によってチャンネルリスト選局が行われた際に、図４に示すように、デジタル放送のチャンネルのみを選局するように構成されている。
【００３３】
また、表示部１１に表示されるデジタルモードでのセットアップ画面としては、Ｃ・Ｃセットアップ画面６２（図８参照）とＶ−ＣＨＩＰセットアップ画面６３（図９参照）とがある。
【００３４】
Ｃ・Ｃセットアップ画面６２は、図８に示すように、デジタル放送に対応したＤＴＶＣＣの設定項目を、アナログ放送に対応したＣＡＰＴＩＯＮの設定項目よりも上に表示することにより優先して表示するように構成されている。
【００３５】
また、デジタルモードでのＶ−ＣＨＩＰセットアップ画面６３は、図９に示すように、デジタル放送に対応したＤＯＷＮＬＯＡＤＡＢＬＥ  ＲＡＴＩＮＧを、アナログ放送に対応したＴＶ  ＲＡＴＩＮＧおよびＭＰＡＡ  ＲＡＴＩＮＧよりも上に表示することにより優先して表示するように構成されている。
【００３６】
また、制御部１９は、現在時刻を認識する時計機能を有する。また、制御部１９は、装置本体１０の電源がＯＮ状態にされる際に、現在時刻とアナログ放送が終了する時刻とを比較するように構成されている。また、制御部１９は、現在時刻がアナログ放送が終了する時刻を過ぎた場合に、混合モードをデジタルモードに切り替えるようにモード切替部１７を制御するとともに、デジタルモードをアナログ放送終了後に用いるモードとして設定するように構成されている。
【００３７】
図１０は、図１に示した本発明の一実施形態によるデジタル放送対応テレビジョンのモード切替動作を説明するためのフローチャートである。次に、図１０を参照して、本発明の一実施形態によるデジタル放送対応テレビジョンのモード切替動作について説明する。
【００３８】
まず、図１０のステップＳ１において、記憶部１６にアナログ放送が終了する時刻データが記憶されているか否かが判断される。なお、記憶部１６へのアナログ放送が終了する時刻データの記憶は、ユーザにより行われるか、または、製品の出荷前に製造者側で行われる。記憶部１６にアナログ放送が終了する時刻データが記憶されていると判断された場合は、ステップＳ２に進む。そして、ステップＳ２においては、現在時刻がアナログ放送が終了する時刻（日）を過ぎているか否かが判断される。現在時刻がアナログ放送が終了する時刻（日）を過ぎていると判断された場合は、ステップＳ３に進む。そして、ステップＳ３においては、モード切替部１７によって混合モードがデジタルモードに切り替えられるとともに、デジタルモードがアナログ放送終了後に用いられるモードとして設定され、動作は終了される。なお、ステップＳ１において記憶部１６にアナログ放送が終了する時刻データが記憶されていないと判断された場合と、ステップＳ２において現在時刻がアナログ放送が終了する時刻を過ぎていないと判断された場合とには、ステップＳ４に進む。そして、ステップＳ４においては、デジタルモードに切り替えられることなく、そのまま混合モードの設定が維持され、動作は終了される。
【００３９】
本実施形態では、上記のように、アナログ放送およびデジタル放送の両方の処理を行う混合モードとデジタル放送の処理を優先するデジタルモードとの切替動作を行うことが可能なモード切替部１７と、アナログ放送が終了した場合に、混合モードをデジタルモードに切り替えるようにモード切替部１７を制御する制御部１９とを備えることによって、アナログ放送が終了した場合に、アナログ放送が終了することにより使用者の利用する割合が増加するデジタル放送の処理が優先されるので、アナログ放送終了に対応して使用者の操作性を高めることができる。
【００４０】
また、本実施形態では、アナログ放送が終了する時刻データを記憶する記憶部１６を設けるとともに、現在時刻が記憶部１６に記憶されたアナログ放送が終了する時刻を過ぎた場合に、混合モードをデジタルモードに切り替えるようにモード切替部１７を制御するように制御部１９を構成することによって、記憶部１６に記憶されたアナログ放送が終了する時刻データに基づいて、制御部１９は混合モードをデジタルモードに切り替えるようにモード切替部１７を制御するので、アナログ放送終了に対応して、使用者が混合モードをデジタルモードに切り替える操作を行う必要がない。
【００４１】
また、本実施形態では、モード切替部１７によって混合モードに設定されている場合には、受信可能なアナログ放送およびデジタル放送の両方の放送を検知するように受信部１５を制御し、モード切替部１７によってデジタルモードに設定されている場合には、受信可能なデジタル放送のみを検知するように受信部１５を制御するように制御部１９を構成することによって、デジタルモードに設定された場合には、受信部１５のアナログ放送受信部１５ａはアナログ放送を検知する動作を行わないので、受信可能な放送の検知にかかる時間を削減することができる。これによっても、使用者の操作性を高めることができる。
【００４２】
また、本実施形態では、モード切替部１７によってデジタルモードに設定されている場合には、表示部１１に表示される機能の設定を行うためのセットアップ画面６２および６３において、デジタル放送に対応する項目をアナログ放送に対応する項目よりも優先して表示するように表示部１１を制御するように制御部１９を構成することによって、デジタルモードに設定された場合に、表示部１１には、アナログ放送が終了することにより使用者の利用する割合が増加するデジタル放送に対応する項目が、優先して表示されるので、使用者の操作性をより高めることができる。
【００４３】
また、本実施形態では、モード切替部１７によってデジタルモードに設定されている場合には、リモコン３０の選択ボタン３１および３２の操作に応じて、デジタル放送のみが選局されるように制御することによって、アナログ放送が終了した場合に、デジタル放送のみが選局されるので、使用者の操作性をより高めることができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、表示装置の一例としてデジタル放送対応テレビジョンを示したが、本発明はこれに限らず、アナログ放送およびデジタル放送を受信可能な受信部を備えた表示装置であれば、デジタル放送対応テレビジョン以外の他の表示装置にも適用可能である。
【００４６】
また、上記実施形態では、制御部１９が現在時刻を認識する時計機能を有するような構成の例を示したが、本発明はこれに限らず、他の方法により現在時刻を取得するように制御部１９を構成してもよい。
【００４７】
また、上記実施形態では、制御部１９は、装置本体１０の電源がＯＮ状態にされる際に、現在時刻とアナログ放送が終了する時刻とを比較し、現在時刻がアナログ放送が終了する時刻を過ぎた場合に、混合モードをデジタルモードに切り替えるようにモード切替部１７を制御するように構成する例を示したが、本発明はこれに限らず、電源がＯＦＦ状態の待機時においても、現在時刻とアナログ放送が終了する時刻とを比較し、現在時刻がアナログ放送が終了する時刻を過ぎた場合に、混合モードをデジタルモードに切り替えるようにモード切替部１７を制御するような構成としてもよい。
【００４８】
また、上記実施形態では、表示部１１に表示されるＣ・Ｃセットアップ画面６０およびＣ・Ｃセットアップ画面６２と、Ｖ−ＣＨＩＰセットアップ画面６１およびＶ−ＣＨＩＰセットアップ画面６３とについて説明したが、本発明はこれに限らず、他の項目を表示するセットアップ画面としてもよい。この場合にも、デジタルモードに設定されている場合には、デジタル放送に対応する項目がアナログ放送に対応する項目よりも優先して表示される。
【００４９】
また、上記実施形態では、ビデオ再生機４０を外部機器の一例として示したが、本発明はこれに限らず、外部入力部１３による映像の取得が可能な機器であれば、他の外部機器を用いてもよい。
【図面の簡単な説明】
【００５０】
【図１】本発明の一実施形態によるデジタル放送対応テレビジョンの全体構成を示した斜視図である。
【図２】図１に示した本発明の一実施形態によるデジタル放送対応テレビジョンの構成を説明するためのブロック図である。
【図３】図１に示した本発明の一実施形態によるデジタル放送対応テレビジョンのリモコンを示した正面図である。
【図４】図１に示した本発明の一実施形態によるデジタル放送対応テレビジョンの混合モードとデジタルモードとの比較を示した図である。
【図５】図１に示した本発明の一実施形態によるデジタル放送対応テレビジョンの表示部に表示される混合モードのＣ・Ｃセットアップ画面を示した図である。
【図６】図１に示した本発明の一実施形態によるデジタル放送対応テレビジョンの表示部に表示される混合モードのＶ−ＣＨＩＰセットアップ画面を示した図である。
【図７】図１に示した本発明の一実施形態によるデジタル放送対応テレビジョンの表示部に表示される混合モードのＣ・Ｃセットアップ画面を示した図である。
【図８】図１に示した本発明の一実施形態によるデジタル放送対応テレビジョンの表示部に表示されるデジタルモードのＣ・Ｃセットアップ画面を示した図である。
【図９】図１に示した本発明の一実施形態によるデジタル放送対応テレビジョンの表示部に表示されるデジタルモードのＶ−ＣＨＩＰセットアップ画面を示した図である。
【図１０】図１に示した本発明の一実施形態によるデジタル放送対応テレビジョンのモード切替動作を説明するためのフローチャートである。
【符号の説明】
【００５１】
１１        表示部
１５        受信部
１５ａ      アナログ放送受信部（受信部）
１５ｂ      デジタル放送受信部（受信部）
１６        記憶部
１７        モード切替部（モード切替手段）
１９        制御部
３０        リモコン
３１        ダイレクト選局ボタン（選局ボタン）
３２        チャンネルリスト選局ボタン（選局ボタン）
６０、６２  Ｃ・Ｃセットアップ画面
６１、６３  Ｖ−ＣＨＩＰセットアップ画面
【図１】
2008167173.tif 000003
【図２】
2008167173.tif 000004
【図３】
2008167173.tif 000005
【図４】
2008167173.tif 000006
【図５】
2008167173.tif 000007
【図６】
2008167173.tif 000008
【図７】
2008167173.tif 000009
【図８】
2008167173.tif 000010
【図９】
2008167173.tif 000011
【図１０】
2008167173.tif 000012